(57)【要約】      （修正有）【課題】ペットをレンタルする専門店を全国的に展開する事により、ペットと触れ合いたい人が気軽にペットを飼っている気分を味わう事が出来るようにする。【解決手段】飼いたい時に、飼いたい種類のペットを提供するには、ペットレンタルが最適の方法である。しかし、消費者の多種多様のニーズに対応するには、単独店や少数の店舗では、経費が掛かりすぎて不可能である。本発明のペットレンタル業チェーン展開システムは、全国にペットレンタル業をフランチャイズ等で展開し、その店舗同士がペットの貸し借りや顧客の情報などを共有することで、あらゆるペットのレンタルにも対応できる様にしたものである。【選択図】図１
2006209725.tif 000002
【特許請求の範囲】
【請求項１】
ペットのレンタル専門業店舗を全国にチェーン展開し、その顧客情報やペットの情報をコンピュータなどを通じて共有し、ペット関係の業者と業務提携する事で、ペットレンタル業を営む際の諸事の問題を低コストで且つ迅速に対応出来るようにするシステムである。
【発明の詳細な説明】
【背景技術】近年、動物と人間との関係の研究によると、動物に接したり、ペットを飼う事により、人間は情緒が安定したり、病気の回復を促進させたり、老人などの呆け防止など様々な有益な効果がある事が解明されてきている。  また、少子高齢化や結婚をしない人が増加している事により、ペットを飼う人が急増している。そのためにペットに関する弊害も増加の一途を辿っているのである。  従来、ペットは知り合いから貰ったり、ペットショップ等で購入したり、拾ったりしてそのペットを所有する事で飼っているのが殆どであった。しかしながら、一旦所有してしまうと、ペットの病気や、予防接種などの経費や手間、長期の外出も制限されたり、予定外の妊娠により繁殖してしまったり、そのペットが死ぬまで面倒を看なければならないなど、結構手の掛かるのが現状である。  また、心無い飼い主に捨てられたペットによって、保健所が捨て犬や捨て猫で一杯になっていたり、爬虫類などのペットを捨て、他人に危害を与えるという弊害も社会問題となっている。
【発明が解決しようとする課題】
ペットを飼いたくても、ペットを飼うことにより発生する様々な問題を考えると諦めざるを得ない人や、その時々のペットの流行に左右されやすく同じペットを長期に飼いたくない人などが多数存在している。また、ペットを飼う事を禁止しているマンションなどが多く、住宅事情によりペットを飼いたくても飼えない人が殆どである。
【発明の効果】
本発明は、ペットをレンタルする専門店を全国的に展開する事により、ペットと触れ合いたい人から、ペットを飼うことにより発生する様々な問題点や弊害を解消させ、気軽にペットを飼っている気分を味わう事が出来るようにするものである。  また、全国的に多数の店舗を展開する事で、各店舗で情報を共有する事も可能となる。その結果一店舗で多種多様な動物を取り揃える必要もない。もし、その店舗にいない種類のペットのレンタル希望者が現れた場合は、各店舗の保有している動物の情報をコンピュータで検索し店舗間で貸し借りなど協力し合う事が可能となる。  ペットレンタルを単独店や少数の店舗で行おうとすると、多種多様のペットを常に所有し飼育しておかなければならず、その経費は莫大なものとなる。経費がかかるからという理由で、限られた動物しかレンタル出来ない店舗では、幅広いお客様のニーズに対応出来ず、結果的に商売は成功しないという問題点が存在する。  また、単独店や数店舗のペットショップなどでは、ペットの健康状態の管理が行き届いておらず、病気に感染したペットを購入し、愛情が湧いた頃にそのペットが死亡してしまうというような悲劇も多々起こっている。ペットの突然の死は、飼い主にとって耐え難い苦しみであるのはいうまでもない。病気に感染したペットは、飼い主自身にもその病気を感染させる危険性もあり、ペットの健康管理はペットレンタル業にとっても、最重要な課題である。  本発明のように、全国的にフランチャイズなどでチェーン展開する事で、各店舗が情報を共有し、互いに協力する事でお客様の多種多様のニーズにも対応出来て、経費の削減にもつながる。また、獣医などの専門家と業務提携することで、ペットの健康管理も十分に出来て、前述のようなペットの病気による危険性も解消される。  ペットレンタルを全国的に展開する事は、捨て犬などのペットによる社会問題を解消するばかりではなく、動物と触れ合う事による精神的、身体的有効性を、今まで味わえなかった多数の人々にも幅広く提供する事が可能となる。ペットを気軽に飼える事で、少子高齢化や独身者の寂しさを和らげたり、高齢者や病気を患っている人に、アニマルセラピーなど病気の回復にも多大の効果が期待出来るのである。
【発明を実施する最良の形態】
本発明のペットレンタル業チェーン展開システムは、一店舗や少数の店舗では実現不可能であった経費を掛けずに多種多様のペットを一般消費者に提供する事が可能となる。全国的にペットレンタル業店舗「図１」の「符号」２を展開し、その情報をコンピュータ「図１」の「符号」１０で検索し共有出来るシステムで、各店舗の顧客情報「図１」の「符号」４、ペットのレンタル状況「図１」の「符号」３、ペットの健康状態「図１」の「符号」５や予防接種、往診「図１」の「符号」１１をペットレンタル業チェーン展開本部「図１」の「符号」１が全てコンピュータ「図１」の「符号」１０で管理し、獣医「図１」の「符号」６や犬や猫の散髪をするトリマー「図１」の「符号」７、ブリーダー「図１」の「符号」８、しつけをする動物訓練学校「図１」の「符号」１２、ペット商品業者「図１」の「符号」１４、損害保険会社「図１」の「符号」２５などと業務提携（タイアップ）「図１」の「符号」９して、レンタルする動物の状態を常に整えておく。これらは、各ペットレンタル業店舗「図１」の「符号」２もしくはペットレンタル業チェーン展開本部「図１」の「符号」１が各提携業者に業務の依頼「図１」の「符号」２７をし、各提携業者は業務の提供「図１」の「符号」２９をし、その業務の報告「図１」の「符号」２８をペットレンタル業チェーン展開本部「図１」の「符号」１にコンピュータ「図１」の「符号」１０で行う。  各店舗の消耗品や動物の餌「図１」の「符号」１３なども、本部が大量仕入れし、そして店舗に配給指示「図１」の「符号」１５する事で経費の削減や、その動物に最適な餌を与える事が可能となる。各店舗の従事者が特別な動物の知識がなくても、本部が指示「図１」の「符号」３１を出したり、不明な点があれば、各店舗の担当者が本部に問い合わせ「図１」の「符号」３２をする事で問題を解決する事も可能である。以上の様に管理されたペットが、一般消費者「図１」の「符号」１６や、老人福祉施設「図１」の「符号」１７、各種病院「図１」の「符号」１８、保育所や幼稚園「図１」の「符号」１９、各種学校「図１」の「符号」２０、各種施設「図１」の「符号」２３、各種団体「図１」の「符号」２１、各種イベント「図１」の「符号」２２にペットレンタル「図１」の「符号」２４されるのである。ペットがお客様に危害を加えたり、反対にペットが事故等に遭った時の為に、損害保険会社「図１」の「符号」２５に、保険に加入「図１」の「符号」２６しておく。各ペットレンタル業店舗「図１」の「符号」２は互いに不足ペットの貸し借りなどの協力「図１」の「符号」３０も可能。  一般消費者「図１」の「符号」１６などがこのペットレンタルを利用する場合、各ペットレンタル業店舗「図１」の「符号」２に直接来店や電話で問合わせる「図１」の「符号」３３他、インターネット「図１」の「符号」３４で問合わせや予約が出来る。
【産業上の利用可能性】  本発明により、誰でも気軽にペットと触れ合える様になり、一般家庭は勿論のこと、老人福祉施設や各種病院、保育所や幼稚園、各種学校、各種団体、各種施設、各種イベントなど様々な場所にペットをレンタルする事が可能となり、全国チェーン展開する事で多種多様、様々な動物を提供する事が可能となる。一方、人間が動物と触れ合うことによるアニマルセラピーが精神的、身体的に有効であるのは、近年の研究で解明されている。  ペットが人間の病気を回復させたり、精神的に効果があるとはいえ、老人福祉施設、や各種病院、保育所や幼稚園、各種学校、各種団体、各種施設などで動物を飼うとなると、衛生面や経費、飼育スペース、飼育手間など、様々な問題が生じる為に現実的には不可能に近い。  本発明のシステムは、今までペットと触れ合う事が不可能であった人々に広くペットをレンタルする事で、国民の健康増進にも期待出来、医療産業にも利用可能性がある。  また、子供の情緒を安定させる事により、青少年の犯罪防止にも寄与する可能性も大いにあり、教育関係の産業にも利用可能である。  一方、ペット産業も、従来の産業形態であれば、現在ペットを飼っている消費者や、将来ペットを飼える状況である消費者に限定した販売消費形態であった。そのため、ペットを飼いたい、動物と触れ合いたいと希望する消費者であっても、諸条件が整わずにペットを飼えない消費者には、ペット産業はアプローチ出来ないのが現状である。そのため、そのような消費者の内、コンピュータの仮想現実でペットを飼っている人も珍しくない。  本発明のペットレンタル業チェーン展開システムの発明により、ペット産業は実際にペットを飼っていない消費者や飼えない消費者にまでも、ペット商品を販売する事が出来、ペット産業自体の活性化にもつながるのである。
【図面の簡単な説明】
【図１】「ペットレンタル業チェーン展開システム図である。」
【符号の説明】
１  ペットレンタル業チェーン本部    ２  ペットレンタル業店舗    ３  ペットレンタル情報    ４  顧客情報    ５  ペットの健康状態    ６  獣医    ７  トリマー    ８  ブリーダー    ９  業務提携（タイアップ）  １０  コンピュータ  １１  予防接種、往診  １２  動物訓練学校  １３  消耗品、動物の餌  １４  ペット商品業者  １５  配給の指示  １６  一般消費者  １７  老人福祉施設  １８  各種病院  １９  保育所や幼稚園  ２０  各種学校  ２１  各種団体  ２２  各種イベント  ２３  各種施設  ２４  ペットレンタル  ２５  損害保険会社  ２６  保険加入  ２７  業務の依頼  ２８  業務の報告  ２９  業務の提供  ３０  不足ペットの貸し借りなどの協力  ３１  本部からの指示  ３２  本部に問い合わせ  ３３  直接来店や電話で問合せ  ３４  インターネット
【図１】
2006209725.tif 000003